【事件の表示】
　特願２００８−３１８１５４号「空気調和方法及び空気調和機」拒絶査定不服審判事件〔平成２１年３月１９日出願公開、特開２００９−５８２２０号〕について、次のとおり審決する。
【結　論】
　本件審判の請求は、成り立たない。
【理　由】
第１　手続の経緯
　本願は、平成１４年９月１８日に出願した特願２００２−２７１１９３号の一部を平成２０年１２月１５日に新たな特許出願としたものであって、平成２３年８月１５日付けで拒絶査定がなされ（発送日：同年８月３０日）、これに対し、平成２３年１１月２４日に拒絶査定不服審判の請求がなされるとともに、その審判の請求と同時に手続補正がなされたものである。
　そして、平成２４年１月１７日付けで審尋がなされ、それに対して平成２４年３月１９日に回答書が提出され、さらに、平成２４年４月２５日付けで拒絶理由通知がなされ、それに対して平成２４年７月６日に意見書とともに手続補正書が提出されたものである。
　 
第２　本願発明
　本願の請求項１に係る発明（以下「本願発明」という。）は、平成２４年７月６日付け手続補正書により補正された特許請求の範囲の請求項１に記載された事項により特定される、以下のとおりのものである。
「居室内の側壁上部に空気調和機を取り付けて、居室内の空気を前記空気調和機の上部に設けられた吸込口から吸い込み、調和した空気を前記空気調和機の下部に設けられた吹出口から送出して居室内の空気を調和する空気調和方法において、
　前記空気調和機の冷房運転時に、
　冷気の気流が天井壁に到達するように前記吹出口から冷気を天井壁に向けて斜め上方に送出した後に、
　冷気を天井壁、前記側壁に対向する壁面、床面、前記側壁面に順次伝わせた後、前記吸込口から吸い込んで居室内を空気調和し、
　前記吹出口から冷気を送出する際に、前記吹出口の近傍において斜め上方へ向かうほど前記空気調和機の前面から離れるように気流を流通させることを特徴とする空気調和方法。」
　 
第３　引用例
１．当審の拒絶の理由に引用された刊行物である、特開２００２−６１９３８号公報（以下「引用例１」という。）には、「空気調和機」に関して、図面とともに以下の事項が記載されている。（下線は当審で付与。以下、同様。）
　
ア．段落【０００１】
「【発明の属する技術分野】本発明は、天寄式空気調和機に係わり、より詳細には、吹出口に回動自在に軸支された
上下風向変更板により風向を天井方向に効果的に偏向できるようにした構造
イ．段落【０００４】
「【発明が解決しようとする課題】本発明は以上述べた問題点を解決し、
風向を効果的に天井方向に変更することにより、効率的により遠くまで調和空気を送風する
ウ．段落【００１４】
「【発明の実施の形態】以下、図面に基づいて本発明による空気調和機を詳細に説明する。図１は本発明による天寄式空気調和機の一実施例を示す外観斜視図、図２は本発明による天寄式空気調和機の他の実施例を示す図で、（ａ）は正面図、（ｂ）は要部側断面図、図３は要部拡大図である。図に示すように、本体１の前面には、水平方向から手前に高く傾斜する前方傾斜部２ａと、同前方傾斜部２ａの上端を後方に折曲して後方に高く傾斜する後方傾斜部２ｂとでなる
前面パネル２
後方傾斜部１ｂに吸込口３
前方傾斜部２ａの下部に吹出口４
吸込口３および吹出口４を結ぶ空気通路５の吸込口３近傍に熱交換器６を配設し、同熱交換器６の風下側に送風ファン７を配設
吹出口４に、回動自在に軸支された上下風向板８を配設
吹出口４より吹出された調和空気を上下風向板８により前方傾斜部２ａ側に偏向し、同前方傾斜部２ａに沿わせて天井方向に導き、天井面に沿ってより遠くへ送風するようにしている
エ．記載事項ア、ウの「天寄式空気調和機」によれば、この空気調和機は居室内の側壁上部に取り付けられるものと認められる。また、記載事項ウ及び図１〜３の記載から、空気調和機は、居室内の空気を空気調和機の上部に設けられた吸込口３から吸い込み、熱交換器６で調和した空気を空気調和機の下部に設けられた吹出口４から吹き出して居室内の空気を調和するものと認められる。
　
　上記記載事項、認定事項を総合して、本願発明の記載ぶりに則って整理すると、引用例１には、次の発明（以下「引用発明」という。）が記載されている。
　
「居室内の側壁上部に空気調和機を取り付けて、居室内の空気を前記空気調和機の上部に設けられた吸込口３から吸い込み、熱交換器６で調和した空気を前記空気調和機の下部に設けられた吹出口４から吹き出して居室内の空気を調和する空気調和方法において、
　調和空気を上下風向板８により前方傾斜部２ａ側に偏向し、同前方傾斜部２ａに沿わせて天井方向に導き、天井面に沿ってより遠くへ送風する空気調和方法。」
　
２．当審の拒絶の理由に引用された刊行物である、特開平８−２７０９７７号公報（以下「引用例２」という。）には、「空調設備」に関して、図面とともに以下の事項が記載されている。
　
ア．段落【０００１】
「【産業上の利用分野】本発明は建築物室内に居住する人体にとって
快適性に優れる空調（暖房及び冷房）設備
イ．段落【０００８】、【０００９】
「【課題を解決するための手段及び作用】本発明は
夏の冷房時には、室内窓側壁の窓上から吹込まれた冷風の流れが、天井面に沿って窓側とは反対の側壁まで水平に這うように流れる天井付着噴流を形成するとともに、窓からの日射により発生する上昇流の暖気を効率的に吸込むように構成
　
室内への吹込み空気は顕熱調整（冷却または加熱）される
夏の冷房時には冷風の天井付着噴流を形成することになる
ウ．段落【００１５】
「このように形成された二次元的な
天井付着噴流は、天井面５近傍を通過後、窓側とは反対の側壁面近傍を緩やかに下降した後、室内下方部を反転する流れ７を作り、窓側に戻ってくる
窓近傍の暖気の上昇流域
暖気上昇流９を効率良く吸込み口８に吸込んで、室内全域にわたる冷却効果を高める
　
　上記記載事項を総合すると、引用例２には、次の事項が記載されている。
　
「室内全域にわたる冷却効果を高めるために、冷風の流れを、室内窓側壁の窓上から、天井面５に沿った天井付着噴流とし、窓側とは反対の側壁面近傍を下降した後、室内下方部を反転する流れ７を作り、窓側に戻し、窓近傍の上昇流９を吸込み口８に吸込むものとして室内を冷房する方法。」
　
３．当審の拒絶の理由に引用された刊行物である、特開平１０−９６５７号公報（以下「引用例３」という。）には、「空気調和装置の室内機」に関して、図面とともに以下の事項が記載されている。
　
ア．段落【００７４】
「次に、図１８（ａ）に示すように、上下風向板６０がＡ位置にあり、
上下風向板７０がＤ位置にある状態においては、空調空気が吹出口１からやや上向き前方に吹出されるようになっている
空調空気ｂは吹出口１から略天井に沿う方向へ流れ、冷房運転におけるいわゆる天井吹出の状態を形成する
　
４．本件出願前に頒布された刊行物である、実願昭６０−１８０３５２号（実開昭６２−８８２３８号）のマイクロフィルム（以下「周知例１」という。）には、「空気調和機」に関して、図面とともに以下の事項が記載されている。
　
ア．明細書４ページ１８行〜５ページ４行
「従ってこのような
エアコンによって冷房を行う場合、上記ルーバー１６を水平方向より上に向けておけば、吹出風は第３図に示すように吹出口１５より上昇しながら遠方へ到達する
　
５．本件出願前に頒布された刊行物である、特開平７−４６８３号公報（以下「周知例２」という。）には、「空気調和機」に関して、図面とともに以下の事項が記載されている。
ア．段落【００１６】
「風向変更装置４４の羽根には、横方向（吹出通路４３の長手方向）に空気を案内する縦羽根（垂直ルーバ）４５と、
縦方向（吹出通路４３の短手方向）に空気を案内する水平羽根（水平ルーバ）４６とが設けられており
右斜め上方向等、種々の吹き出し方向に送風することができる
　
第４　対比
　本願発明と引用発明とを対比すると、各文言の意味、作用からみて、引用発明の「吸込口３」は、本願発明の「吸込口」に相当し、以下同様に、「熱交換器６で調和した空気」は「調和した空気」に、「吹出口４から吹き出して居室内の空気を調和する」ことは「吹出口から送出して居室内の空気を調和する」ことに、それぞれ相当する。
　そして、引用発明の「調和空気を上下風向板８により前方傾斜部２ａ側に偏向し、同前方傾斜部２ａに沿わせて天井方向に導き、天井面に沿ってより遠くへ送風する」ことは、本願発明の「冷気の気流が天井壁に到達するように前記吹出口から冷気を天井壁に向けて斜め上方に送出」することと、「気流が天井壁に到達するように前記吹出口から気流を天井壁に向けて斜め上方に送出」することで共通する。
　
　そうすると、本願発明と引用発明の一致点及び相違点は、次のとおりである。
　
　［一致点］  
「居室内の側壁上部に空気調和機を取り付けて、居室内の空気を前記空気調和機の上部に設けられた吸込口から吸い込み、調和した空気を前記空気調和機の下部に設けられた吹出口から送出して居室内の空気を調和する空気調和方法において、
　気流が天井壁に到達するように前記吹出口から気流を天井壁に向けて斜め上方に送出する空気調和方法。」
　  
　［相違点］ 
　本願発明では、空気調和機の冷房運転時に、冷気の気流が天井壁に到達するように吹出口から冷気を天井壁に向けて斜め上方に送出した後に、冷気を天井壁、前記側壁に対向する壁面、床面、前記側壁面に順次伝わせた後、吸込口から吸い込んで居室内を空気調和し、前記吹出口から冷気を送出する際に、前記吹出口の近傍において斜め上方へ向かうほど前記空気調和機の前面から離れるように気流を流通させるのに対し、引用発明では、調和空気を上下風向板８により前方傾斜部２ａ側に偏向し、同前方傾斜部２ａに沿わせて天井方向に導き、天井面に沿ってより遠くへ送風するものである点。
　
第５　当審の判断
　引用発明は、調和空気を天井面に沿ってより遠くへ送風するものであるから、空気調和機の冷房運転時においても同様に送風するものである。また、引用発明は調和空気を遠くへ送風するものであるが、遠くへ送風することによって室内の空気調和を効果的に行うためのものということができる。
　ところで、引用例２に記載された事項（冷風の流れを、室内窓側壁の窓上から、天井面５に沿った天井付着噴流とし、窓側とは反対の側壁面近傍を下降した後、室内下方部を反転する流れ７を作り、窓側に戻し、窓近傍の上昇流９を吸込み口８に吸込むものとして室内を冷房する方法。）についてみると、その文言の意味、作用からみて、引用例２に記載された事項の「冷風の流れ」は、本願発明の「空気調和機の冷房運転時」の「冷気の気流」に相当し、同様に「冷気を天井面５に沿った天井付着噴流とし、窓側とは反対の側壁面近傍を下降した後、室内下方部を反転する流れ７を作り、窓側に戻し、窓近傍の上昇流９を吸込み口８に吸込む」ことは、「冷気を天井壁、前記側壁に対向する壁面、床面、前記側壁面に順次伝わせた後、吸込口から吸い込」むことに、「室内を冷房する」ことは、「居室内を空気調和」することに、それぞれ相当する。
　そうすると、引用例２に記載された事項は「空気調和機の冷房運転時に、」「冷気を天井壁、前記側壁に対向する壁面、床面、前記側壁面に順次伝わせた後、吸込口から吸い込んで居室内を空気調和」することと言い換えることができる。
　また、空気調和機による冷房時の略天井方向への吹き出しを空気調和機の前面に沿わせることなく斜め上方へ向かうほど空気調和機の前面から離れるように気流を流通させることは、冷気の吹き出し方向と空気調和機の形状により定まるものであり、例えば引用例３，周知例１，２に記載されているように特別な気流の流れでもない。
　してみると、引用例２に記載された事項は一般的な課題である冷房効果を高めるためのものであるから、引用発明においても、その適用は考慮される事項であり、また、冷気の流れを斜め上方へ向かうほど空気調和機の前面から離れるようにすることは空気調和機の形状によるものであるから、引用発明において、冷房効果を高めるために、空気調和機の冷房運転時に冷気の流れを本願発明のようにすることは、引用例２に記載された事項に基づいて当業者が容易に想到し得たことである。
　なお、引用発明は調和空気を空気調和機の前面壁に沿わせることで、天井方向に導くものであるが、上記引用例３，周知例１，２に記載のように水平方向の風向板（ルーバー）を用いて、調和空気を斜め上方に導くことは従来より周知であることから、その適用を阻害するものではない。
　
　そして、本願発明の奏する効果についてみても、引用発明、引用例２に記載された事項から当業者が予測できた効果の範囲内のものである。
　
　したがって、本願発明は、引用発明、引用例２に記載された事項に基づいて当業者が容易に発明をすることができたものである。 
　
第６　まとめ
　以上のとおり、本願発明は、引用発明、引用例２に記載された事項に基づいて当業者が容易に発明をすることができたものであるので、特許法第２９条第２項の規定により特許を受けることができない。
　したがって、本願は、他の請求項について検討するまでもなく、拒絶すべきものである。
　よって、結論のとおり審決する。